(57)【要約】【課題】エアコンから空調ダクトを分岐して各ボックスに冷気を送る経済的な空調システムを採用しつつ、該空調ダクトを通じた音漏れも同時に防止して、遮音性を維持することができるカラオケルーム用消音システムの提供を目的とする。【解決手段】室内機３に接続される空調エアー供給ダクト（空調ダクト）の分配器５を経由して、複数のピットＰに空調エアーを送る空調装置１が具備されたカラオケボックスであって、空調エアー供給ダクトの分配器５内には分配器用消音チャンバが設置され、該分配器５から各ピットＰに至る個別ダクト（空調ダクト）６にはピット用消音チャンバ１２がそれぞれ設置されていることを特徴とする。【選択図】図１
0003175161.tif 000002
【実用新案登録請求の範囲】
【請求項１】
室内機に接続される空調ダクトの分配器を経由して、複数のピットに空調エアーを送る空調装置が具備されたカラオケボックスであって、
前記空調ダクトの分配器内には分配器用消音チャンバが設置され、該分配器から各ピットに至る個別ダクトにはピット用消音チャンバがそれぞれ設置されていることを特徴とするカラオケルーム用の消音システム。
【請求項２】
前記分配器用消音チャンバ１台に対して前記個別ダクトが最大で３本接続され、該個別ダクトのそれぞれに前記ピット用消音チャンバが設置されることを特徴とする請求項１に記載のカラオケルーム用の消音システム。
【請求項３】
前記各消音チャンバ内には吸音材が設置されていることを特徴とする請求項１又は２のいずれか１項に記載のカラオケルーム用の消音システム。
【請求項４】
前記ピット用消音チャンバには、前記分配器用消音チャンバから供給された空調エアーを吸気する吸気口と、該吸気口から吸気された空調エアーを排気する排気口とが設けられ、
前記吸気口と前記排気口とは軸線が一致しない状態で配置されていることを特徴とする請求項１〜３のいずれか１項に記載のカラオケルーム用の消音システム。
【考案の詳細な説明】
【技術分野】
【０００１】
本考案は、歌って楽しむカラオケルーム（ピット）に関し、特に、複数のカラオケルームに空調エアーを分配供給する空調装置に設置されるカラオケルーム用の消音システムに関する。
【背景技術】
【０００２】
従来より、カラオケルームは、照明設備や音響設備や映像設備などが備えられた個室内だけでカラオケを楽しむことができるように構成され、利用者の人数に合わせた大きさの個室が、通路などの共用スペースに隣接して複数設けられているのが一般的である。
そして、このようなカラオケルームでは、室内のカラオケ音がカラオケルーム外に洩れないように、壁面、床面、天井の壁厚を大きくしたり、防音材を使用することは勿論、ドアのガラスも二重にする等の防音対策がとられている。
例えば、特許文献１にはドアが開いたときにスピーカーの音を低減させる技術、特許文献２には親ルームと子ルームとを仕切る防音扉に関する技術が示されている。
【先行技術文献】
【特許文献】
【０００３】
【特許文献１】実用新案登録第３１３９７４５号公報
【特許文献２】実用新案登録第３１２５５８４号公報
【考案の概要】
【考案が解決しようとする課題】
【０００４】
ところで、多数の個室により構成されるカラオケボックスでは、各ボックスにエアコンの室内機を設けると設置コストが増加するために、該室内機からダクトを分岐して各ボックス（ピット）に冷気を送る経済的な空調システムが採用されている。
【０００５】
しかしながら、このような空調システムが採用されることにより、上記特許文献１・２に示される防音対策が施されていたとしても、該空調システムのダクトを通じて隣接にカラオケ音が漏れることがある。
すなわち、扉や壁を厚くして遮音性能を高めたとしても、隣室との間が空調ダクトで間接的に接続されているため、該空調ダクトを通じてカラオケルームの音漏れが発生するという不具合が依然として発生していた。
【０００６】
この考案は、上述した事情に鑑みてなされたものであって、エアコンから空調ダクトを分岐して各ボックスに冷気を送る経済的な空調システムを採用しつつ、該空調ダクトを通じた音漏れも同時に防止して、遮音性を維持することができるカラオケルーム用消音システムの提供を目的とするものである。
【課題を解決するための手段】
【０００７】
上記課題を解決するために、この考案は以下の手段を提案している。
本考案は、室内機に接続される空調ダクトの分配器を経由して、複数のピットに空調エアーを送る空調装置が具備されたカラオケボックスであって、前記空調ダクトの分配器内には分配器用消音チャンバが設置され、該分配器から各ピットに至る個別ダクトにはピット用消音チャンバがそれぞれ設置されていることを特徴とする。
【考案の効果】
【０００８】
本考案によれば、室内機に接続される空調ダクトの分配器に分配器用消音チャンバが設置され、かつ該分配器から各ピットに至る個別ダクトにピット用消音チャンバがそれぞれ設置されている。すなわち、室内機から複数の各ピットに至る空調ダクトに２種類の消音チャンバ（ピット用消音チャンバ、分配器用消音チャンバ）が順次配置されているので、ピットの間を接続する個別ダクトには合計で３つの消音チャンバ（ピット用消音チャンバ、分配器用消音チャンバ、ピット用消音チャンバ）が配置されることになる。
その結果、室内機から空調ダクトを分岐して各ピットに冷気を送る経済的な空調システムを採用しつつも、ピットの間を接続する個別ダクトに３つの消音チャンバ（ピット用消音チャンバ、分配器用消音チャンバ、ピット用消音チャンバ）が設置されることで、該空調ダクトを通じたピット間の音漏れも同時に防止して、該ピットにおける遮音性を維持することができる。
【０００９】
また、本考案では、分配器用消音チャンバ１台に対して個別ダクトが最大で３本接続される構成とすることで、室内機からの空調エアーを効率良く各ピットに分配することができ、同時に該空調ダクトを通じたピット間の音漏れも防止することができる
また、本考案では、各消音チャンバ内に吸音材を設置することで、空調ダクトを通じて伝達されたピットの音を該吸音材に吸収させることができ、該空調ダクトを通じたピット間の音漏れを効果的に防止することができる。
また、本考案では、ピット用消音チャンバに、分配器用消音チャンバから供給された空調エアーを吸気する吸気口と、該吸気口から吸気された空調エアーを排気する排気口とを、軸線が一致しない状態で配置することで、空調ダクトを通じて伝達されたピットの音が直進することを防止し、これによっても該空調ダクトを通じたピット間の音漏れを効果的に防止することができる。
【図面の簡単な説明】
【００１０】
【図１】本考案に係るカラオケルームの全体を示す概略構成図である。
【図２】図１のカラオケルームに設置された消音システムを概略的に示す図である。
【図３】消音システムにおける分配器及びピット用消音チャンバの接続状態を示す概略構成図である。
【図４】消音システムの分配器を示す図であって、（ａ）は平面図、（ｂ）はｂ-ｂ線に沿って切断した断面図である。
【図５】消音システムのピット用消音チャンバを示す図であって、（ａ）は平面図、（ｂ）は吸気口側から見た図、（ｃ）及び（ｄ）は排気口側から見た図である。
【考案を実施するための形態】
【００１１】
以下、本考案を適用したカラオケルーム用の消音システムの実施形態について、図１〜図５を参照して詳細に説明する。
図１は、本考案を適用した実施形態によるカラオケルーム用の消音システムの概略構成を示す図であって、この図において符号Ｐはカラオケルームを示すピットである。なお、本実施形態ではピットＰが２４室設けられており、これらピットＰは２室又は３室を１組として空調エアーが供給される（後述する）。
【００１２】
まず、前記ピットＰに空調エアーを供給するための空調装置１及び該空調装置１に併設される消音システム１０について説明する。
図１及び図２に示すように空調装置１は、建物外に設けられて外気と熱交換を行う室外機２と、建物内に設けられてピットＰに対して空調エアーである冷気を供給する複数の室内機３と、これら室外機２と室内機３とを接続して両者の間で冷媒を流通させる冷媒管４と、室内機３の空調エアー排出口に接続されて該空調エアーを分配する分配器５と、該分配器５と各ピットＰを接続する個別ダクト６とが具備されている。
【００１３】
各分配器５は、全体として直方形状にケーシングが形成されるものであって、図３に示すように室内機３の空調エアー供給ダクト３Ａ（空調ダクト）に連結されて該室内機３から空調エアーを取り込む吸気口５Ａと、該吸気口５Ａから取り込まれた空調エアーを分配して排出する排気口５Ｂ〜５Ｄとを有する。吸気口５Ａは空調エアー供給ダクト３Ａを介して室内機３に接続され、排気口５Ｂ〜５Ｄは個別ダクト６（空調ダクト）を介してピットＰに接続されている。
なお、ここで分配器５の排気口５Ｂ〜５Ｄは、２つのピットＰに接続される場合には排気口５Ｂ・５Ｃが使用され、また、３つのピットＰに接続される場合には排気口５Ｂ〜５Ｄが使用される。
【００１４】
そして、この分配器５を介して、図２及び図３に示されるように空調エアーが分配されることで２室（２本の個別ダクト６が使用される）又は３室（３本の個別ダクト６が使用される）を１組としてピットＰの空調が行われる。
なお、図１において符号Ｃで示すものは、空調装置１を制御するためのコントローラである。
【００１５】
図１〜図５を参照して空調装置１に併設されてピットＰ間の音の伝達を防止する消音システム１０について説明する。
この消音システム１０は、本考案に係るもので、分配器５の一部構成が利用される分配器用消音チャンバ１１と、分配器５とピットＰとを接続する個別ダクト６の途中に配置されたピット用消音チャンバ１２とから構成される。
分配器用消音チャンバ１１は、図４に示されるように、全体として直方体状に形成されたケーシングの内壁面に、グラスウール１３が吸音材として貼付されることで分配器用の消音チャンバとして機能する。該グラスウール１３は分配器５のケーシングの内壁面の全面に貼付され、かつ厚さが例えば２５ｍｍ程度に設定されるものであって、個別ダクト６を経由して伝達されるピットＰからの音を有効に吸収して、他のピットＰに伝達することを防止する。
【００１６】
ピット用消音チャンバ１２は、図５に示されるように全体として立方体状にケーシングが形成され、かつ該ケーシングの内壁面に例えば３０ｍｍ厚程度のグラスウール１４が吸音材として貼付されるものであって、分配器５と同様に、個別ダクト６を経由してピットＰで発生した音を有効に吸収して、他のピットＰに伝達することを防止する。
また、このピット用消音チャンバ１２の壁面には、個別ダクト６に接続される吸気口１２Ａと、該吸気口１２Ａから供給された空調エアーをピットＰに排出する排気口１２Ｂ・１２Ｃとが形成されている。また、このピット用消音チャンバ１２において、空調エアーを吸気する吸気口１２Ａと、空調エアーを排気する排気口１２Ｂ・１２Ｃとは軸線が一致しない状態で配置されており、これによってピットＰから発せられた音が直進することを防止し、グラスウール１４の吸音機能とともに、個別ダクト６を通じたピットＰ間の音漏れを効果的に防止することができる。
【００１７】
そして、このような分配器用消音チャンバ１１に接続された複数の個別ダクト６のそれぞれにピット用消音チャンバ１２を設けることで、図２及び図３に示されるように、ピットＰの間を接続する個別ダクト６には合計で３つの消音チャンバ（ピット用消音チャンバ１２、分配器用消音チャンバ１１、ピット用消音チャンバ１２）が配置されることになる。
なお、ピット用消音チャンバ１２の排気口１２Ｂ・１２Ｃは、図３では一壁面に並列的に配置され、また、図５では対向する壁面に位置に軸線を同じくして配置されているが、このような配置は、ピットＰの設置位置に応じて適宜選択可能である。
【００１８】
以上詳細に説明したように本実施形態に示されるカラオケルーム用の消音システム１０では、室内機３の空調エアー供給ダクト３Ａ（空調ダクト）の分配器５に分配器用消音チャンバ１１が設置され、かつ該分配器５から各ピットＰに至る個別ダクトにピット用消音チャンバ１２がそれぞれ設置されている。
すなわち、室内機３から複数の各ピットＰに至る空調エアー供給ダクト３Ａ及び各個別ダクト６（空調ダクト）に２種類の消音チャンバ（分配器用消音チャンバ１１、２台のピット用消音チャンバ１２）が順次に配置されているので、ピットＰの間を接続する個別ダクト６には３つの消音チャンバ（ピット用消音チャンバ１２、分配器用消音チャンバ１１、ピット用消音チャンバ１２）が配置されることになる。
その結果、室内機３からダクトの分岐により各ピットＰに冷気を送る経済的な空調システムを採用しつつも、ピットＰの間を接続する個別ダクト６に合計で３つの消音チャンバ（ピット用消音チャンバ１２、分配器用消音チャンバ１１、ピット用消音チャンバ１２）が設置されることで、該空調ダクト３Ａ・６を通じたピットＰ間の音漏れも同時に防止して、該ピットＰにおける遮音性を維持することができる。
【００１９】
また、本実施形態では、分配器用消音チャンバ１１、１台に対して個別ダクトが最大で３本接続される構成とすることで、室内機３からの空調エアーを効率良く各ピットＰに分配することができ、同時に該空調ダクト３Ａ・６を通じたピットＰ間の音漏れも防止することができる
【００２０】
また、本実施形態では、各消音チャンバ１１・１２内に吸音材を設置することで、空調ダクト３Ａ・６を通じて伝達されたピットＰの音をグラスウール１３・１４に吸収させることができ、該空調ダクト３Ａ・６を通じたピットＰ間の音漏れを効果的に防止することができる。
【００２１】
また、本実施形態では、ピット用消音チャンバ１２に、分配器用消音チャンバ１１から供給された空調エアーを吸気する吸気口１２Ａと、該吸気口１２Ａから吸気された空調エアーを排気する排気口１２Ｂ・１２Ｃとを、軸線が一致しない状態で配置することで、空調ダクト３Ａ・６を通じて伝達されたピットＰの音が直進することを防止し、これによっても該空調ダクト３Ａ・６を通じたピットＰ間の音漏れを効果的に防止することができる。
【００２２】
なお、上記実施形態では、分配器用消音チャンバ１１及びピット用消音チャンバ１２内は中空に形成されているが、これらの中空部に、前述のグラスウール１３・１４に付加して、例えば音の伝達を遮断するためのクランク状の流路、遮音用のフィルタなどの構成を付加しても良い。
また、前記消音チャンバ１２内の排気口１２Ｂ、１２Ｃに送風ファンを取り付けることにより、音の流入を低減させ、且つ内部の空気溜まりを無くして効率的に冷気を排出する機能を追加しても良い。
【００２３】
以上、本考案の実施形態について図面を参照して詳述したが、具体的な構成はこの実施形態に限られるものではなく、本考案の要旨を逸脱しない範囲の設計変更等も含まれる。
【符号の説明】
【００２４】
１  空調装置
２  室外機
３  室内機
３Ａ  空調エアー供給ダクト（空調ダクト）
４  冷媒管
５  分配器
６  個別ダクト（空調ダクト）
１０  消音システム
１１  分配器用消音チャンバ
１２  ピット用消音チャンバ
１３  グラスウール（吸音材）
１４  グラスウール（吸音材）
P  カラオケルーム(ピット)
【図１】
0003175161.tif 000003
【図２】
0003175161.tif 000004
【図３】
0003175161.tif 000005
【図４】
0003175161.tif 000006
【図５】
0003175161.tif 000007